(57)【特許請求の範囲】
【請求項１】
すべり板のすべり面上をすべり支承が摺動する免震装置について、前記すべり面の温度を推定するすべり面温度推定方法であって、
前記すべり板および前記すべり支承の縮小模型を製作し、当該縮小模型を用いて実験を行って、前記すべり面に生じる摩擦熱を求める第１ステップと、
前記すべり板および前記すべり支承を鉛直方向断面に沿って一次元で有限要素解析を行って、前記すべり面で発生した摩擦熱が前記すべり板の内部に流入する割合を流入率として求める第２ステップと、
前記すべり支承の直径と振幅に基づいて、前記すべり面上の各点が前記すべり支承と接触する時間的な割合を接触率として求める第３ステップと、
前記摩擦熱、前記流入率、および前記接触率に基づいて前記すべり面上の各点に入射する入射熱流束を求めて、当該入射熱流束を境界条件として、前記すべり板を三次元で有限要素解析を行って、すべり板上の各点のすべり面の温度を求める第４ステップと、
前記すべり面の温度を、縮小模型を用いた実験で測定した温度よりも大きく、前記第４ステップで求めた温度よりも小さい範囲とする第５ステップと、を備えることを特徴とするすべり面温度推定方法。
【請求項２】
前記第２ステップにおいて、前記すべり板と前記すべり支承との境界面における温度が同一であるとして、有限要素解析を行うことを特徴とする請求項１に記載のすべり面温度推定方法。
【発明の詳細な説明】
【技術分野】
【０００１】
本発明は、例えば、免震装置のすべり板のすべり面温度の推定方法、および、このすべり面温度推定方法により、すべり板の材質、大きさ、および形状が決定された免震装置、および、この免震装置を備える建物に関する。
【背景技術】
【０００２】
免震構造の建物では、下部構造である基礎の上に免震装置を設け、この免震装置を介して、上部構造である建物を支持する。この免震装置は、例えば、基礎上に設けられたすべり板と、このすべり板上を摺動するすべり支承と、を備える（特許文献１、２参照）。
【０００３】
以上の免震装置では、地震時に、建物に加わる地震力が大きい場合には、すべり支承がすべり板の上を摺動して、地震力を緩和する。
【０００４】
ここで、すべり支承に設けられたすべり材のすべり板に対する水平方向の移動量を、すべり量とする。このすべり量は、すべり板のすべり面の摩擦の影響を受けるが、すべり面が高温になると摩擦係数が常温時より低下することが判っている。したがって、免震構造の建物の設計に際しては、この摩擦係数の低下を考慮することが望ましい。
【先行技術文献】
【特許文献】
【０００５】
【特許文献１】特開２００６−１４４３４６号公報
【特許文献２】特開２００９−２８１５５９号公報
【発明の概要】
【発明が解決しようとする課題】
【０００６】
すべり面の摩擦係数を把握する方法としては、実大実験つまり実際の大きさの部材を用いた実験が最も正確である。しかしながら、試験装置の性能や実験コストの面から実験可能な規模には制限があり、縮小規模の実験しか実施できない場合がある。
縮小実験では、試験体の材料、鉛直方向の寸法、単位面積当たりの載荷荷重などについては、比較的容易に実大に一致させることができる。これに対し、水平方向の寸法、すなわち、すべり支承の径およびすべり量は、実大に一致させることは困難であり、縮小せざるを得ない。
【０００７】
水平方向の寸法を、実大に対して幾何学的に相似に縮小すると、発生する摩擦熱に対する外周方向への失熱の割合が大きくなるため、実大より低めの温度となる。
したがって、縮小実験による摩擦係数は、実大で予想される温度を用いて補正する必要がある。
【０００８】
この補正のために必要なすべり面温度は、縮小実験結果から得られた摩擦熱に基づいて、熱伝導解析などにより推定する必要がある。この場合、すべり板およびすべり支承は、形状、すべり方向、伝熱方向が三次元的に拡がりを持つため、三次元の熱伝導解析が必要であるが、モデル化に要する労力や計算時間の負担が大きい、という問題があった。
【０００９】
本発明は、実大相当のすべり面温度を容易に推定できるすべり面温度推定方法を提供することを目的とする。
【課題を解決するための手段】
【００１０】
請求項１に記載のすべり面温度推定方法は、すべり板（例えば、後述のすべり板１０）のすべり面（例えば、後述のすべり面１１）上をすべり支承（例えば、後述の弾性すべり支承２０）が摺動する免震装置（例えば、後述の免震装置１）について、前記すべり面の温度を推定するすべり面温度推定方法であって、前記すべり板および前記すべり支承の縮小模型を製作し、当該縮小模型を用いて実験を行って、前記すべり面に生じる摩擦熱（例えば、後述の摩擦熱Ｑ）を求める第１ステップ（例えば、後述のステップＳ１）と、前記すべり板および前記すべり支承を鉛直方向断面に沿って一次元で有限要素解析を行って、前記すべり面で発生した摩擦熱が前記すべり板の内部に流入する割合を流入率（例えば、後述の流入率ｋｉｎ）として求める第２ステップ（例えば、後述のステップＳ２）と、前記すべり支承の直径と振幅に基づいて、前記すべり面上の各点が前記すべり支承と接触する時間的な割合を接触率（例えば、後述の接触率ｋｃｔ）として求める第３ステップ（例えば、後述のステップＳ３）と、前記摩擦熱、前記流入率、および前記接触率に基づいて前記すべり面上の各点に入射する入射熱流束（例えば、後述の入射熱流束ｑｂＸＹ）を求めて、当該入射熱流束を境界条件として、前記すべり板を三次元で有限要素解析を行って、すべり板上の各点のすべり面の温度（例えば、後述のすべり面の温度Ｔｆｃａｌ）を求める第４ステップ（例えば、後述のステップＳ４、Ｓ５）と、前記すべり面の温度（例えば、後述の実大のすべり面の温度Ｔ）を、縮小模型を用いた実験で測定した温度（例えば、後述の縮小模型のすべり面の温度Ｔｒｅｘｐ）よりも大きく、前記第４ステップで求めた温度よりも小さい範囲とする第５ステップ（例えば、後述のステップＳ６）と、を備えることを特徴とする。
【００１１】
この発明によれば、第４ステップで、すべり板のみを三次元要素解析するので、解析に要する労力および計算時間を大幅に削減でき、すべり面の温度を容易に推定できる。
また、第５ステップにおいて、実大のすべり面の温度を所定の範囲で求めることができるので、すべり板を設計する際に、この所定範囲の最小値あるいは最大値を適宜用いて摩擦係数を算定すれば、容易に安全側で検討できる。
【００１２】
また、すべり板に対して有限要素解析を行う場合、すべり面で発生した摩擦熱がすべり支承側とすべり板側のそれぞれに伝わる割合を設定する必要がある。しかし、これを厳密に設定しようとすると、すべり支承とすべり板の相対移動を考慮して、接触面を切り替えながら計算を行う必要があり、計算負担が増大する。
【００１３】
そこで、本発明では、このような厳密な計算を行わずに、事象を単純化して、すべり面上の各点がすべり支承と接触する時間的な割合を接触率とし、この接触率を用いて有限要素解析の境界条件を算定したので、計算負担をさらに低減できる。
【００１４】
すべり支承はすべり面上を往復しているので、すべり面上のある一点は、実際には、すべり支承と接触した状態と、周囲空気に曝露された状態と、を周期的に繰り返す。このすべり支承との接触の有無を経時的に切り替えて計算するのは煩雑となるため、全加振時間に対するすべり支承との接触時間の割合を表す係数を接触率とし、この接触率を用いて有限要素解析の境界条件とする。
【００１５】
請求項２に記載のすべり面温度推定方法は、前記第２ステップにおいて、前記すべり板と前記すべり支承との境界面における温度が同一であるとして、有限要素解析を行うことを特徴とする。
【００１６】
有限要素解析を行う際、すべり面の熱伝達係数の設定が必要となるが、すべり板とすべり支承の材質やすべり面の表面状態によって変化するため、正確な設定は困難である。
そこで、この発明では、すべり支承とすべり板との境界面における温度が同一であるとして、有限要素解析を行うことで、計算負担をさらに低減できる。なお、このようにしても、すべり支承の表面とすべり板の表面との温度差による伝熱量は、摩擦により発生する熱に比べて十分に小さく、計算結果に与える影響は無視できる。
【００１７】
本発明では、免震装置は、すべり板のすべり面上をすべり支承が摺動する免震装置であって、前記すべり板の材質、大きさ、および形状は、上述のすべり面温度推定方法により推定されたすべり面の温度に基づいて決定されていることが好ましい。
【００１８】
本発明では、建物（例えば、後述の建物３）は、すべり板のすべり面上をすべり支承が摺動する免震装置を備える建物であって、前記すべり面の摩擦係数（例えば、後述の摩擦係数Ｍ）が上述のすべり面温度推定方法により推定されたすべり面の温度に基づいて設定され、当該摩擦係数に基づいて設計されたことが好ましい。
【発明の効果】
【００１９】
本発明によれば、すべり板のみを三次元要素解析するので、解析に要する労力および計算時間を大幅に削減でき、すべり面の温度を容易に推定できる。
【図面の簡単な説明】
【００２０】
【図１】本発明の一実施形態に係るすべり面温度推定方法が適用された免震装置の縦断面図である。
【図２】前記実施形態に係るすべり面温度推定方法を用いて、免震装置のすべり板のすべり面の温度を推定する手順のフローチャートである。
【図３】前記実施形態に係るすべり面温度推定方法において、すべり面に生じる摩擦熱を算定するための縮小実験の模式図である。
【図４】前記実施形態に係るすべり面温度推定方法において、縮小実験により求めた摩擦熱の経時変化を示す図である。
【図５】前記実施形態に係るすべり面温度推定方法において、すべり面上の温度を測定する手順を説明するための模式的な平面図である。
【図６】前記実施形態に係るすべり面温度推定方法において、すべり板およびすべり支承の鉛直方向断面をモデル化した模式図である。
【図７】前記実施形態に係るすべり面温度推定方法において、流入率の経時変化の具体例を示す図である。
【図８】前記実施形態に係るすべり面温度推定方法において、接触率の分布の具体例を示す図である。
【図９】前記実施形態に係るすべり面温度推定方法において、接触率の分布を説明するためのすべり板の模式的な平面図である。
【図１０】前記実施形態に係るすべり面温度推定方法において、三次元有限要素解析の結果の具体例を示す図である。
【図１１】前記実施形態に係るすべり面温度推定方法において、三次元有限要素解析の結果を説明するためのすべり板の模式的な平面図である。
【図１２】前記実施形態に係るすべり面温度推定方法において、予測により求めたすべり面の温度および縮小模型を用いた実験により測定されたすべり面の温度の経時変化を示す図である。
【発明を実施するための形態】
【００２１】
以下、本発明の一実施形態について、図面を参照しながら説明する。
図１は、本発明の一実施形態に係るすべり面温度推定方法が適用された免震装置１の側面図である。
免震装置１は、下部構造である基礎２に設けられて、上部構造である建物３を支持するものである。
【００２２】
基礎２の上面には、鉄筋コンクリート造の下部免震基礎４が構築され、建物３の下面には、鉄筋コンクリート造の上部免震基礎５が構築される。
免震装置１は、下部免震基礎４の上面に固定されたすべり板１０と、このすべり板１０のすべり面１１の上に水平方向に摺動可能に設けられた弾性すべり支承２０と、を備える。
弾性すべり支承２０は、すべり板１０の上に設けられたすべり材２１と、このすべり材２１の上に設けられた下部鋼板２２と、下部鋼板２２の上に設けられた積層ゴム２３と、積層ゴム２３の上に設けられた上部鋼板２４と、を備える。
【００２３】
以上の免震装置１は、基礎２に反力をとって建物３を下から支持しつつ、建物３が基礎２に対して水平方向に移動可能な状態を保持している。
そして、地震時において、建物３に加わる小さな地震力が加わった場合には、弾性すべり支承２０の積層ゴム２３が変形して、地震力を緩和し、大きな地震力が加わった場合には、弾性すべり支承２０がすべり板１０の上を摺動して、地震力を緩和する。
【００２４】
免震装置１のすべり板１０のすべり面の温度を推定して、この推定した温度に基づいてすべり面１１における摩擦係数Ｍを設定して、この摩擦係数Ｍに基づいて建物３が設計されている。
以下、建物３を設計する手順について、図２のフローチャートを参照して説明する。
【００２５】
ステップＳ１では、縮小模型を用いて、すべり面に生じる摩擦熱Ｑを算定するとともに、すべり面上の測定点の温度Ｔｒｅｘｐを測定する。
すなわち、図３に示すように、免震装置の縮小模型を製作し、実際に、縮小模型のすべり板上で、縮小模型のすべり支承を振動させる。この縮小実験では、垂直方向の寸法・材質、面圧、および単位時間当たりのすべり量を実大に一致させる。
【００２６】
例えば、以下の実験条件により縮小実験を行った。試験体の外径を３００ｍｍとし、鉛直一定軸力で水平動的に周期４秒の正弦波で加振する２軸載荷を行う。基準面圧は２０Ｎ／ｍｍ２とし、２５０回の連続加振とした。
【００２７】
この縮小実験において、すべり支承に作用する水平力Ｈを測定する。すべり支承のすべり量をＤとすると、すべり面に生じる単位面積当たりの摩擦熱Ｑは、以下の式（１）で求められる。
【００２８】
Ｑ＝Ｈ×Ｄ  …（１）
【００２９】
図４は、縮小実験により求めた摩擦熱の経時変化を示す図である。この図４より、時間が経過するに従って摩擦熱Ｑが低下することが判る。
【００３０】
また、この縮小実験を行った際、図５に示すように、すべり板のすべり面上に格子状に測定点を設定し、各測定点の温度Ｔｒｅｘｐを測定しておく。
【００３１】
ステップＳ２では、一次元の有限要素解析により流入率ｋｉｎを算定する。
図６に示すように、すべり板およびすべり支承を鉛直方向断面に沿ってモデル化する。すると、各要素が鉛直方向に一列に並んだ一次元となる。このモデルに対して有限要素解析を行って、摩擦熱Ｑがすべり板の内部に流入する割合を流入率ｋｉｎとして求める。
なお、この有限要素解析では、 すべり支承とすべり板との境界面（すべり面）における温度は、同一に設定する。
図７は、流入率ｋｉｎの経時変化の具体例を示す図である。
【００３２】
ステップＳ３では、実大について、接触率ｋｃｔを算定する。
すべり支承は、すべり板のすべり面上を、所定の振幅、所定の周期で振動するものと仮定する。そして、すべり支承の直径および振幅に基づいて、すべり面上の各点がすべり支承と接触する時間的な割合を接触率ｋｃｔとして求める。
【００３３】
図８は、接触率ｋｃｔの分布の具体例を示す図であり、図９は、すべり板の模式的な平面図である。
図８は、図９に示すすべり板の一部（斜線部分）であり、図９のすべり板上にてすべり支承を図８中白抜き矢印方向に振動させた場合における、接触率ｋｃｔの分布である。
図８に示すように、すべり板の中心に近い点ほど、すべり面にすべり支承が接触する時間が長期化するので、接触率ｋｃｔは高くなっている。
【００３４】
ステップＳ４では、実大について、入射熱流束ｑｂＸＹを算定する。
すべり支承がすべり面上を振動した場合に、摩擦熱Ｑ、流入率ｋｉｎ、および接触率ｋｃｔに基づいて、すべり面上の各点に入射する入射熱流束ｑｂＸＹを、以下の式（２）に従って求める。
【００３５】
ｑｂＸＹ＝ｋｃｔｋｉｎＱ＋ｈ（１−ｋｃｔ）（Ｔａ−ＴＸＹ）  …（２）
ｈ：綜合熱伝達率
Ｔｘｙ：計算時点における任意のすべり板表面の各測定点ｘｙの温度
Ｔａ：周囲温度
【００３６】
以上の式（２）の右辺において、第１項は、すべり面からすべり板に向かう熱を求めている。すなわち、ステップＳ１〜Ｓ３の計算結果である摩擦熱Ｑ、流入率ｋｉｎ、接触率ｋｃｔの積である。
一方、右辺の第２項は、すべり面から外部に放出される熱を求めている。つまり、すべり面の各点は、すべり支承が接していない状態では、周囲の空気により空冷されるので、この空冷による放射される熱を求める。
【００３７】
ステップＳ５では、三次元の有限要素解析により、すべり板上の各測定点のすべり面の温度Ｔｆｃａｌを求める。
ステップＳ４で求めた入射熱流束ｑｂＸＹを境界条件として、すべり板を三次元で有限要素解析を行って、すべり板上の各測定点のすべり面の温度Ｔｆｃａｌを求める。
【００３８】
図１０は、三次元有限要素解析の結果の具体例を示す図であり、図１１は、すべり板の模式的な平面図である。
図１０は、図１１に示すすべり板の一部（斜線部分）であり、図１１のすべり板上にてすべり支承を図１１中白抜き矢印方向に振動させた場合における、三次元有限要素解析の結果である。
【００３９】
ステップＳ６では、実大のすべり面の温度をＴとして、Ｔｆｃａｌ＞Ｔ＞Ｔｒｅｘｐの範囲に設定する。
実大のすべり面の温度Ｔは、縮小模型のすべり面の温度Ｔｒｅｘｐよりも高くなる。その理由は、実大の方が、縮小模型よりも、発生する摩擦熱が外周方向に失熱する割合が小さいからである。
【００４０】
ステップＳ７では、この推定した実大のすべり面の温度Ｔに基づいてすべり面１１における摩擦係数Ｍを設定する。
ステップＳ８では、この設定した摩擦係数Ｍに基づいて建物３を設計する。
【００４１】
また、実大のすべり面の温度Ｔは、ステップＳ５で求めたすべり面の温度Ｔｆｃａｌよりも低くなる。その理由は、以下の通りである。
すなわち、すべり支承の移動量が同じであっても、すべり面の温度が上昇するに従って、摩擦係数は低下し、単位面積当たりの摩擦熱も低下する。上述のように、縮小模型のすべり面の温度Ｔｒｅｘｐは、実大のすべり面の温度Ｔよりも低いため、縮小模型における摩擦熱Ｑは、実大の摩擦熱よりも高くなる。ステップＳ５では、縮小実験で求めた実大よりも高い摩擦熱Ｑを用いてすべり面の温度Ｔｆｃａｌを求めているので、ステップＳ５で求めたすべり面の温度Ｔｆｃａｌは、実大のすべり面の温度Ｔよりも高くなる。
【００４２】
図１２は、予測により求めたすべり面の温度Ｔｆｃａｌと、縮小模型を用いた実験により測定されたすべり面の温度Ｔｒｅｘｐと、の経時変化を示す図である。図１２において、実大のすべり面の温度Ｔは、ＴｆｃａｌとＴｒｅｘｐとで囲まれた領域となる。
【００４３】
本実施形態によれば、以下のような効果がある。
ステップＳ５において、すべり板のみを三次元要素解析するので、解析に要する労力および計算時間を大幅に削減でき、すべり面温度を容易に推定できる。
また、実大のすべり面の温度ＴをＴｆｃａｌ＞Ｔ＞Ｔｒｅｘｐの範囲で求めたので、すべり板を設計する際に、この所定範囲の最小値（Ｔｒｅｘｐ）あるいは最大値（Ｔｆｃａｌ）を適宜用いて摩擦係数を算定すれば、容易に安全側で検討できる。
【００４４】
事象を単純化して、すべり面上の各点がすべり支承と接触する時間的な割合を接触率ｋｃｔとし、この接触率ｋｃｔを用いて有限要素解析の境界条件である入射熱流束ｑｂＸＹを算定したので、計算負担をさらに低減できる。
【００４５】
ステップＳ２において、すべり支承とすべり板との境界面における温度が同一であるとして、一次元有限要素解析を行うことで、計算負担をさらに低減できる。
【００４６】
なお、本発明は前記実施形態に限定されるものではなく、本発明の目的を達成できる範囲での変形、改良等は本発明に含まれるものである。
【符号の説明】
【００４７】
１…免震装置
２…基礎
３…建物
４…下部免震基礎
５…上部免震基礎
１０…すべり板
１１…すべり面
２０…弾性すべり支承
２１…すべり材
２２…下部鋼板
２３…積層ゴム
２４…上部鋼板
Ｄ…すべり量
Ｈ…水平力
Ｍ…摩擦係数
Ｑ…摩擦熱
Ｔ…実大のすべり面の温度
Ｔｆｃａｌ…求めたすべり面の温度
Ｔｒｅｘｐ…縮小模型のすべり面の温度
ｋｃｔ…接触率
ｋｉｎ…流入率
ｑｂＸＹ…入射熱流束
【図１】
0006341566.tif 000002
【図２】
0006341566.tif 000003
【図３】
0006341566.tif 000004
【図４】
0006341566.tif 000005
【図５】
0006341566.tif 000006
【図６】
0006341566.tif 000007
【図７】
0006341566.tif 000008
【図８】
0006341566.tif 000009
【図９】
0006341566.tif 000010
【図１０】
0006341566.tif 000011
【図１１】
0006341566.tif 000012
【図１２】
0006341566.tif 000013